(57)【要約】      （修正有）【課題】ユーザーの意思によりユーザー課金の情報サイトへアクセスする場合には、ユーザーが予想外に高額な利用料金を請求されることのない情報通信ネットワークを提供する。【解決手段】課金サーバは、携帯電話機がユーザー課金サーバとパケット通信を行う時の送受信パケット数の上限値であるユーザー課金上限パケット数を含む加入者登録情報ファイルを保存し、ゲートウェイサーバは、携帯電話機がユーザー課金サーバであるＩＰサーバとのパケット通信を許可した時は、課金サーバからユーザー課金上限パケット数を取得して、送受信パケット数がユーザー課金上限パケット数に達した時に課金サーバへ到達通知を通知し、課金サーバは、到達通知をうけると、ユーザー課金上限パケット数に対応する料金を算出して、料金を携帯電話機へ通知すると共に、パケット通信を継続するか否かを問合せ、携帯電話機がパケット通信を継続しない場合は、パケット通信を切断する。【選択図】図１
2009296494.tif 000002
【特許請求の範囲】
【請求項１】
情報サイトを提供するＩＰ（Ｉｎｆｏｒｍａｔｉｏｎ  Ｐｒｏｖｉｄｅｒ）サーバと、
前記ＩＰサーバとパケット通信を行って前記ＩＰサーバから情報を取得する携帯電話機と、
前記ＩＰサーバは、前記携帯電話機のユーザー側に課金を行うユーザー課金サーバと、前記ＩＰサーバを運用するＩＰ側に課金を行うＩＰ課金サーバとを含み、
前記パケット通信を中継して、前記パケット通信で送受信される送受信パケット数をカウントするゲートウェイサーバと、
前記ＩＰサーバが前記ユーザー課金サーバであるか前記ＩＰ課金サーバであるかを記録したＩＰ登録情報ファイルを保存し、前記パケット通信が切断されると、前記送受信パケット数に基づいて前記パケット通信の料金を算出して、前記ＩＰ登録情報ファイルに基づいて課金先を判定し前記ユーザーあるいは前記ＩＰへ前記料金の請求を行う課金サーバと、
を備え、
前記課金サーバは、前記携帯電話機が前記ユーザー課金サーバと前記パケット通信を行う時の前記送受信パケット数の上限値であるユーザー課金上限パケット数を含むＩＰサーバアクセス設定を記録した加入者登録情報ファイルをさらに保存し、
前記ゲートウェイサーバは、前記携帯電話機が前記ユーザー課金サーバである前記ＩＰサーバとの前記パケット通信を許可した時は前記パケット通信を接続し、前記課金サーバから前記ユーザー課金上限パケット数を取得して、前記送受信パケット数が前記ユーザー課金上限パケット数に達したときに前記課金サーバへ到達通知を通知し、
前記課金サーバは、前記到達通知をうけると、前記ユーザー課金上限パケット数に対応する前記料金を前記携帯電話機へ通知すると共に、前記パケット通信を継続するか否かを問合せ、前記携帯電話機が前記パケット通信を継続しない場合は、前記パケット通信を切断する
情報通信ネットワーク。
【請求項２】
請求項１に記載の情報通信ネットワークであって、
前記ＩＰサーバアクセス設定は、前記携帯電話が前記パケット通信を許可している前記ＩＰサーバの情報であるアクセス許可ＩＰサーバ情報と、前記携帯電話が前記パケット通信を拒否している前記ＩＰサーバの情報であるアクセス拒否ＩＰサーバ情報とをさらに含み、
前記課金サーバは、前記携帯電話機が前記ＩＰサーバへアクセスする時に、前記ＩＰ登録情報ファイルに基づいて前記ＩＰサーバが前記ユーザー課金サーバであると判定した場合には、前記ＩＰサーバが前記ＩＰサーバアクセス設定のアクセス許可ＩＰサーバ情報、またはアクセス拒否ＩＰサーバ情報のいずれかに登録されているか判定し、
前記ＩＰサーバが前記ＩＰサーバアクセス設定のアクセス許可ＩＰサーバ情報、またはアクセス拒否ＩＰサーバ情報のいずれにも登録されていない場合には、前記ＩＰサーバがユーザー課金サーバであることをユーザー課金通知として前記携帯電話機へ通知し、前記ユーザー課金通知後に前記携帯電話機が前記ＩＰサーバとの前記パケット通信を許可した場合は、前記ゲートウェイサーバへアクセス許可通知を送信し、前記ＩＰサーバが前記アクセス許可ＩＰサーバに登録されている場合は、前記ユーザー課金通知を前記携帯電話機へ通知せずに前記ゲートウェイサーバへアクセス許可通知を送信して、
前記ゲートウェイサーバは、前記アクセス許可通知を受信すると、前記携帯電話機が前記ユーザー課金サーバである前記ＩＰサーバとの前記パケット通信を許可したと判定する
情報通信ネットワーク。
【請求項３】
請求項２に記載の情報通信ネットワークであって、
前記課金サーバは、前記ＩＰサーバがアクセス許可ＩＰサーバ情報、またはアクセス拒否ＩＰサーバ情報のいずれかに登録されているか判定した結果、前記ＩＰサーバが前記アクセス拒否ＩＰサーバに登録されている場合は、前記ユーザー課金通知を前記携帯電話機へ通知せずに前記ゲートウェイサーバへアクセス拒否通知を送信し、
前記ゲートウェイサーバは、前記アクセス拒否通知を受信すると、前記パケット通信を切断する
情報通信ネットワーク。
【請求項４】
請求項２または請求項３に記載の情報通信ネットワークであって、
前記課金サーバは、前記ＩＰサーバアクセス設定の登録、変更処理を行うＩＰ登録情報変更機能をさらに備え、
前記ＩＰ登録情報変更機能は、前記ユーザー課金通知後に前記携帯電話機が前記ＩＰサーバとの前記パケット通信を許可した場合には、前記携帯電話機へ前記ＩＰサーバを前記アクセス許可ＩＰサーバへ登録するかを問合せ、前記携帯電話機から登録する旨の通知を受けたときは、前記ＩＰサーバを前記アクセス許可ＩＰサーバへ登録し、
前記ユーザー課金通知後に前記携帯電話機が前記ＩＰサーバとの前記パケット通信を拒否した場合には、前記携帯電話機へ前記ＩＰサーバを前記アクセス拒否ＩＰサーバへ登録するかを問合せ、前記携帯電話機から登録する旨の通知を受けたときは、前記ＩＰサーバを前記アクセス拒否ＩＰサーバへ登録し、
前記携帯電話機から前記ＩＰサーバアクセス設定の変更要求を受信したときは、前記変更要求に基づいて前記ＩＰサーバアクセス設定を変更する
情報通信ネットワーク。
【請求項５】
請求項１から請求項４までのいずれかに記載の情報通信ネットワークであって、
前記加入者登録情報ファイルは、前記ユーザーが前記送受信パケット数に関わらず前記料金を一定とする定額サービスの利用ユーザーであるか否かを判定する定額情報を前記携帯電話機の識別子に対応させて保存しており、
前記課金サーバは、前記携帯電話機が前記ＩＰサーバと前記パケット通信を行う時に、前記ＩＰサーバが前記ユーザー課金サーバである場合、前記定額情報に基づいて前記携帯電話機の前記ユーザーが前記定額サービスの利用ユーザーであるかを判定し、前記定額サービスの利用ユーザーである場合には、前記ゲートウェイサーバへ前記アクセス許可通知を送信して、前記パケット通信の前記料金算出は行わない
情報通信ネットワーク。
【請求項６】
請求項１から請求項５までのいずれかに記載の情報通信ネットワークであって、
前記課金サーバは、前記到達通知を受信すると、前記ユーザー課金上限パケット数に対応する利用料金を算出して、前記利用料金を前記携帯電話機へ通知すると共に、前記パケット通信を継続するか否かを問合せ、前記携帯電話機が前記パケット通信を継続する場合は、前記パケット通信の接続を継続する
情報通信ネットワーク。
【請求項７】
請求項１から請求項６までのいずれかに記載の情報通信ネットワークで使用するゲートウェイサーバ。
【請求項８】
請求項１から請求項６までのいずれかに記載の情報通信ネットワークで使用する課金サーバ。
【請求項９】
情報サイトを提供するＩＰ（Ｉｎｆｏｒｍａｔｉｏｎ  Ｐｒｏｖｉｄｅｒ）サーバと、
前記ＩＰサーバとパケット通信を行って前記ＩＰサーバから情報を取得する携帯電話機と、
前記ＩＰサーバは、前記携帯電話機のユーザー側に課金を行うユーザー課金サーバと、前記ＩＰサーバを運用するＩＰ側に課金を行うＩＰ課金サーバとを含み、
前記パケット通信を中継して、前記パケット通信で送受信される送受信パケット数をカウントするゲートウェイサーバと、
前記ＩＰサーバが前記ユーザー課金サーバであるか前記ＩＰ課金サーバであるかを記録したＩＰ登録情報ファイルを保存し、前記パケット通信が切断されると、前記送受信パケット数に基づいて前記パケット通信の料金を算出して、前記ＩＰ登録情報ファイルに基づいて課金先を判定し前記ユーザーあるいは前記ＩＰへ前記料金の請求を行う課金サーバと、
を備え、
前記課金サーバは、前記携帯電話機が前記ユーザー課金サーバと前記パケット通信を行う時の前記送受信パケット数の上限値であるユーザー課金上限パケット数を含むＩＰサーバアクセス設定を記録した加入者登録情報ファイルをさらに保存し、
前記ゲートウェイサーバは、
前記携帯電話機が前記ユーザー課金サーバである前記ＩＰサーバとの前記パケット通信を許可した時は前記パケット通信を接続するステップと、
前記課金サーバから前記ユーザー課金上限パケット数を取得するステップと、
前記送受信パケット数が前記ユーザー課金上限パケット数に達したときに前記課金サーバへ到達通知を通知するステップと、
前記課金サーバは、
前記到達通知をうけるステップと、
前記ユーザー課金上限パケット数に対応する前記料金を前記携帯電話機へ通知すると共に、前記パケット通信を継続するか否かを問い合せるステップと、
前記携帯電話機が前記パケット通信を継続しない場合は、前記パケット通信を切断するステップと
を備える情報通信ネットワークの課金方法。
【請求項１０】
請求項９に記載の情報通信ネットワークの課金方法であって、
前記ＩＰサーバアクセス設定は、前記携帯電話が前記パケット通信を許可している前記ＩＰサーバの情報であるアクセス許可ＩＰサーバ情報と、前記携帯電話が前記パケット通信を拒否している前記ＩＰサーバの情報であるアクセス拒否ＩＰサーバ情報とをさらに含み、
前記課金サーバは、
前記携帯電話機が前記ＩＰサーバへアクセスする時に、前記ＩＰ登録情報ファイルに基づいて前記ＩＰサーバが前記ユーザー課金サーバであると判定するステップと、
前記ＩＰサーバが前記ＩＰサーバアクセス設定のアクセス許可ＩＰサーバ情報、またはアクセス拒否ＩＰサーバ情報のいずれかに登録されているか判定するステップと、
前記ＩＰサーバが前記ＩＰサーバアクセス設定のアクセス許可ＩＰサーバ情報、またはアクセス拒否ＩＰサーバ情報のいずれにも登録されていない場合には、前記ＩＰサーバがユーザー課金サーバであることをユーザー課金通知として前記携帯電話機へ通知するステップと、
前記ユーザー課金通知後に前記携帯電話機が前記ＩＰサーバとの前記パケット通信を許可した場合は、前記ゲートウェイサーバへアクセス許可通知を送信するステップと、
前記ＩＰサーバが前記アクセス許可ＩＰサーバに登録されている場合は、前記ユーザー課金通知を前記携帯電話機へ通知せずに前記ゲートウェイサーバへアクセス許可通知を送信するステップと、
前記ゲートウェイサーバは、
前記アクセス許可通知を受信するステップと、
前記携帯電話機が前記ユーザー課金サーバである前記ＩＰサーバとの前記パケット通信を許可したと判定するステップと
をさらに備える情報通信ネットワークの課金方法。
【請求項１１】
請求項１０に記載の情報通信ネットワークの課金方法であって、
前記課金サーバは、
前記ＩＰサーバが前記アクセス拒否ＩＰサーバに登録されている場合は、前記ユーザー課金通知を前記携帯電話機へ通知せずに前記ゲートウェイサーバへアクセス拒否通知を送信するステップと、
前記ゲートウェイサーバは、
前記アクセス拒否通知を受信するステップと、
前記パケット通信を切断するステップと
をさらに備える情報通信ネットワークの課金方法。
【請求項１２】
請求項１０または請求項１１に記載の情報通信ネットワークの課金方法であって、
前記課金サーバは、前記ＩＰサーバアクセス設定の登録、変更処理を行うＩＰ登録情報変更機能をさらに備え、
前記課金サーバは
前記ユーザー課金通知後に前記携帯電話機が前記ＩＰサーバとの前記パケット通信を許可した場合には、前記携帯電話機へ前記ＩＰサーバを前記アクセス許可ＩＰサーバへ登録するかを問い合せるステップと、
前記携帯電話機から登録する旨の通知を受けたときは、前記ＩＰサーバを前記アクセス許可ＩＰサーバへ登録するステップと、
前記ユーザー課金通知後に前記携帯電話機が前記ＩＰサーバとの前記パケット通信を拒否した場合には、前記携帯電話機へ前記ＩＰサーバを前記アクセス拒否ＩＰサーバへ登録するかを問い合せるステップと、
前記携帯電話機から登録する旨の通知を受けたときは、前記ＩＰサーバを前記アクセス拒否ＩＰサーバへ登録するステップと、
前記携帯電話機から前記ＩＰサーバアクセス設定の変更要求を受信するステップと、
前記変更要求に基づいて前記ＩＰサーバアクセス設定を変更するステップと
をさらに備える情報通信ネットワークの課金方法。
【請求項１３】
請求項９から請求項１２までのいずれかに記載の情報通信ネットワークの課金方法であって、
前記加入者登録情報ファイルは、前記ユーザーが前記送受信パケット数に関わらず前記料金を一定とする定額サービスの利用ユーザーであるか否かを判定する定額情報を前記携帯電話機の識別子に対応させて保存しており、
前記課金サーバは、
前記携帯電話機が前記ＩＰサーバへ前記アクセスする時に、前記ＩＰサーバが前記ユーザー課金サーバである場合、前記定額情報に基づいて前記携帯電話機の前記ユーザーが前記定額サービスの利用ユーザーであるかを判定するステップと、
前記定額サービスの利用ユーザーである場合には、前記ゲートウェイサーバへ前記アクセス許可通知を送信するステップと、
前記料金算出は行わないステップと
をさらに備える情報通信ネットワークの課金方法。
【請求項１４】
請求項９から請求項１３までのいずれかに記載の情報通信ネットワークの課金方法であって、
前記課金サーバは、
前記携帯電話機が前記パケット通信を継続する場合は、前記パケット通信の接続を継続する
情報通信ネットワークの課金方法。
【請求項１５】
請求項９から請求項１４までのいずれかに記載の情報通信ネットワークの課金方法をコンピュータによって実現するコンピュータプログラム。
【発明の詳細な説明】
【技術分野】
【０００１】
本発明は、情報通信ネットワークに関し、特に情報通信ネットワークにおける課金に関する。
【背景技術】
【０００２】
ユーザーが、携帯電話端末のパケット通信機能を使用し、情報提供事業者であるＩＰ（Ｉｎｆｏｒｍａｔｉｏｎ  Ｐｒｏｖｉｄｅｒ）等により提供されるインターネット上の情報サイト等へアクセスして情報を入手する機会が増えている。このような情報サイトは、ＩＰが運用するＩＰサーバによって提供されている。情報サイトは、情報の提供者側であるＩＰ側で通信料や情報料を負担するＩＰ課金サイトと、情報の取得者側であるユーザー側へ通信料や情報料を課金するユーザー課金サイトとが存在する。ところが、ユーザーは、ＩＰ課金サイトであるのか、それともユーザー課金サイトであるのかを判定することができない。その為、ユーザーのアクセスした情報サイト等がユーザー課金サイトである場合、ユーザーは、これに気付くことなく長時間アクセスするなどして、予想外に高額な通信料や情報料を請求されるといった問題があった。このような課題を解決するために、次のような関連技術が開示されている。
【０００３】
特許文献１は、ユーザーがユーザー課金であるということを確認可能とし、ユーザーに対して予想外の情報通信料が請求されるのを回避することが可能な情報通信ネットワークを開示している。特許文献１の情報通信ネットワークは、携帯端末装置からゲートウェイサーバを経由して情報通信事業者にて運用されるサーバ装置にアクセスして情報の提供を受ける情報通信ネットワークであって、ゲートウェイサーバは、携帯端末装置からアクセスされるサーバ装置が携帯端末装置のユーザーに対して課金を行うユーザ課金の対象か否かを判定する判定手段と、判定手段でユーザー課金と判定されたときにその旨を携帯端末装置に通知する通知手段とを有する。また、ゲートウェイサーバは、さらに、サーバ装置が予めアクセス可として登録されているか否かを検出する検出手段を含み、検出手段が、アクセス可として登録されていることを検出した時に通知手段から携帯端末装置にユーザー課金と判定された旨を通知することなく携帯端末装置のユーザーに対して課金を行う。
【０００４】
特許文献１の情報通信ネットワークは、サーバ装置へ初回のアクセス時に登録処理が行われる。そのため、一度、アクセス可と登録を行ったサーバ装置へのアクセス拒否を行うことができないという課題が存在する。また、ユーザーが、ある情報サイトに、ユーザー課金であることを認識した上でアクセス許可を行った場合、長時間アクセスするなどして予想外に高額な通信料や情報料を請求されるといった課題も、なお存在する。
【特許文献１】特開２００６−１１５０３７号公報
【発明の開示】
【発明が解決しようとする課題】
【０００５】
本発明の目的は、情報サイトの課金方法に応じて、当該情報サイトへのアクセス可否を設定することが可能な情報通信ネットワークを提供することにある。
【０００６】
本発明の他の目的は、ユーザーの意思によりユーザー課金の情報サイトへアクセスする場合に、ユーザーが予想外に高額な利用料金を請求されることのない情報通信ネットワークを提供することにある。
【課題を解決するための手段】
【０００７】
本発明の情報通信ネットワークは、情報サイトを提供するＩＰ（Ｉｎｆｏｒｍａｔｉｏｎ  Ｐｒｏｖｉｄｅｒ）サーバと、ＩＰサーバとパケット通信を行ってＩＰサーバから情報を取得する携帯電話機と、ＩＰサーバは、携帯電話機のユーザー側に課金を行うユーザー課金サーバと、ＩＰサーバを運用するＩＰ側に課金を行うＩＰ課金サーバとを含み、パケット通信を中継して、パケット通信で送受信される送受信パケット数をカウントするゲートウェイサーバと、ＩＰサーバがユーザー課金サーバであるかＩＰ課金サーバであるかを記録したＩＰ登録情報ファイルを保存し、パケット通信が切断されると、送受信パケット数に基づいてパケット通信の料金を算出して、ＩＰ登録情報ファイルに基づいて課金先を判定しユーザーあるいはＩＰへ料金の請求を行う課金サーバとを備え、課金サーバは、携帯電話機がユーザー課金サーバとパケット通信を行う時の送受信パケット数の上限値であるユーザー課金上限パケット数を含むＩＰサーバアクセス設定を記録した加入者登録情報ファイルをさらに保存し、ゲートウェイサーバは、携帯電話機がユーザー課金サーバであるＩＰサーバとのパケット通信を許可した時はパケット通信を接続し、課金サーバからユーザー課金上限パケット数を取得して、送受信パケット数がユーザー課金上限パケット数に達したときに課金サーバへ到達通知を通知し、課金サーバは、到達通知をうけると、ユーザー課金上限パケット数に対応する料金を携帯電話機へ通知すると共に、パケット通信を継続するか否かを問合せ、携帯電話機がパケット通信を継続しない場合は、パケット通信を切断する。
【０００８】
本発明のゲートウェイサーバは、上述の情報通信ネットワークで使用される。
【０００９】
本発明の課金サーバは、上述の情報通信ネットワークで使用される。
【００１０】
本発明の情報通信ネットワークの課金方法は、情報サイトを提供するＩＰ（Ｉｎｆｏｒｍａｔｉｏｎ  Ｐｒｏｖｉｄｅｒ）サーバと、ＩＰサーバとパケット通信を行ってＩＰサーバから情報を取得する携帯電話機と、ＩＰサーバは、携帯電話機のユーザー側に課金を行うユーザー課金サーバと、ＩＰサーバを運用するＩＰ側に課金を行うＩＰ課金サーバとを含み、パケット通信を中継して、パケット通信で送受信される送受信パケット数をカウントするゲートウェイサーバと、ＩＰサーバがユーザー課金サーバであるかＩＰ課金サーバであるかを記録したＩＰ登録情報ファイルを保存し、パケット通信が切断されると、送受信パケット数に基づいてパケット通信の料金を算出して、ＩＰ登録情報ファイルに基づいて課金先を判定しユーザーあるいはＩＰへ料金の請求を行う課金サーバとを備え、課金サーバは、携帯電話機がユーザー課金サーバとパケット通信を行う時の送受信パケット数の上限値であるユーザー課金上限パケット数を含むＩＰサーバアクセス設定を記録した加入者登録情報ファイルをさらに保存し、ゲートウェイサーバは、携帯電話機がユーザー課金サーバであるＩＰサーバとのパケット通信を許可した時はパケット通信を接続するステップと、課金サーバからユーザー課金上限パケット数を取得するステップと、送受信パケット数がユーザー課金上限パケット数に達したときに課金サーバへ到達通知を通知するステップと、課金サーバは、到達通知をうけるステップと、ユーザー課金上限パケット数に対応する料金を携帯電話機へ通知すると共に、パケット通信を継続するか否かを問い合せるステップと、携帯電話機がパケット通信を継続しない場合は、パケット通信を切断するステップとを備える。
【００１１】
本発明のコンピュータプログラムは、上述の情報通信ネットワークの課金方法をコンピュータによって実現する。
【発明の効果】
【００１２】
本発明によれば、情報サイトの課金方法に応じて、当該情報サイトへのアクセス可否を設定することが可能な情報通信ネットワークを提供できる。
【００１３】
さらに本発明によれば、ユーザーの意思によりユーザー課金の情報サイトへアクセスする場合に、ユーザーが予想外に高額な利用料金を請求されることのない情報通信ネットワークを提供できる。
【発明を実施するための最良の形態】
【００１４】
添付図面を参照して、本発明の実施形態による情報通信ネットワークを以下に説明する。
【００１５】
［構成の説明］
はじめに、本実施形態における情報通信ネットワークの構成の説明を行う。図１は、本実施形態における情報通信ネットワークの構成を示している。本実施携帯における情報通信ネットワークは、携帯電話端末機１、移動パケット通信網１００、ゲートウェイサーバ２、ネットワーク２００、ＩＰサーバ３、課金サーバ４を備える。
【００１６】
まず、携帯電話機１の説明を行う。携帯電話機１は、移動パケット通信網１００に接続してパケット通信が可能である。携帯電話機１は、移動パケット網１００を介して、ゲートウェイサーバ２へ接続することができる。携帯電話機１は、ゲートウェイサーバ２を介してＩＰサーバ３と課金サーバ４へ接続することができる。携帯電話機１は、ＩＰサーバ３へアクセスしてパケット通信を行い情報を取得することが可能である。また、携帯電話機１は、課金サーバ４へアクセスしてパケット通信を行い、ＩＰサーバアクセス設定の登録、変更、削除等を行うことが可能である。ＩＰサーバアクセス設定は、ＩＰサーバ３へアクセスする際のアクセス可否等に係る設定である。ＩＰサーバアクセス設定については後述する。携帯電話機１は、無線通信用アンテナや無線送受信部等の従来の技術によって構成されるため、構成の詳細な説明を省略する。なお、携帯電話機１は、１台のみしか図示されていないが、この他に多数の携帯電話機１が存在する。
【００１７】
次に、ゲートウェイサーバ２の説明を行う。ゲートウェイサーバ２は、携帯電話機１、ＩＰサーバ３、及び課金サーバ４との間で行われるデータ通信を中継する。ゲートウェイサーバ２は、移動パケット通信網１００を介して携帯電話機１と接続される。ゲートウェイサーバ２は、ネットワーク２００を介してＩＰサーバ３と接続される。また、ゲートウェイサーバ２は、課金サーバ４と接続される。なお、本実施形態において、ゲートウェイサーバ２と課金サーバ４は、直接接続されているが、ネットワークを介して接続される場合がある。ゲートウェイサーバ２は、移動パケット通信網１００とネットワーク２００との間で使用される通信プロトコルが異なる場合には、プロトコル変換機能等を提供して、携帯電話機１、ＩＰサーバ３、及び課金サーバ４との間で行われるパケット通信の中継を行う。
また、ゲートウェイサーバ２は、携帯電話機１とＩＰサーバ３の間で行われるパケット通信において、送受信パケット数をカウントする。ゲートウェイサーバ２は、携帯電話機１とＩＰサーバ３との間のデータ通信が切断されると、サービス利用情報を課金サーバ４へ送信する。サービス利用情報は、携帯電話機１の管理番号、ＩＰサーバ３のＵＲＬ、当該データ通信における送受信パケット数等を含む。さらに、ゲートウェイサーバ２は、携帯電話機１がユーザー課金サイトを提供するＩＰサーバ３へアクセスする場合、課金サーバ４から送受信パケット数の上限値を取得する。ゲートウェイサーバ２は、携帯電話機１とＩＰサーバ３の間の送受信パケット数が上限値に達するかを監視する。ゲートウェイサーバ２は、送受信パケット数が上限値に達した場合、課金サーバ４へ通知を行う。
【００１８】
図２は、ゲートウェイサーバ２の構成を示している。ゲートウェイサーバ２は、ＣＰＵ（Ｃｅｎｔｒａｌ  Ｐｒｏｃｅｓｓｉｎｇ  Ｕｎｉｔ）２１と、メインメモリ２２と、記憶装置２３と、携帯端末側通信部２４と、ＩＰ側通信部２５を備える。また、これらの各構成部位は、内部バス２７によって相互に接続されている。
【００１９】
まず、ＣＰＵ２１は、メインメモリ２２に保存されている制御プログラム２２１を読み込んで実行することによって、ゲートウェイサーバ２の機能を実現する。
【００２０】
次に、メインメモリ２２は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等で構成される。メインメモリ２２は、制御プログラム２２１を保存している。制御プログラム２２１が、ＣＰＵ２２によって実行されることで、ゲートウェイサーバ２の各機能が実現される。
【００２１】
次に、記憶装置２３は、不揮発性メモリやハードディスク等で構成される。記憶装置２３は、ゲートウェイサーバ２の機能の実現に必要なデータを記憶している。記憶装置２３は、ユーザー管理情報記憶部２３１と、携帯電話側パケット数保持部２３２と、ＩＰサーバＵＲＬ（Ｕｎｉｆｏｒｍ  Ｒｅｓｏｕｒｃｅ  Ｌｏｃａｔｏｒ）記憶部２３３と、ＩＰサーバ側パケット数保持部２３４とを備える。
【００２２】
ユーザー管理情報記憶部２３１は、携帯電話機１の識別子にユーザー管理番号を対応させて記憶している。携帯電話機１の識別子は、例えば、電話番号や端末ＩＤのように、携帯電話機１の各々にユニークに付与されている。ユーザー管理番号は、携帯電話機１にユニークに付与されており、ゲートウェイサーバ２と課金サーバ４との間のデータ通信において使用される。
【００２３】
携帯電話側パケット数保持部２３２は、携帯電話機１と、ゲートウェイサーバ２との間でやり取りされるデータ通信における送受信パケット数を記憶している。携帯電話側パケット数保持部２３２は、携帯電話機１毎の送受信パケット数を、携帯電話機１の識別子、あるいはユーザー管理番号に対応させて記憶している。
【００２４】
ＩＰサーバＵＲＬ記憶部２３３は、ＩＰサーバ３のＵＲＬを、ＩＰサーバ３に対応させて記憶している。
【００２５】
ＩＰサーバ側パケット数保持部２３４は、ＩＰサーバ３と、ゲートウェイサーバ２との間でやり取りされるデータ通信における送受信パケット数を記憶している。ＩＰサーバ側パケット数保持部２３４は、ＩＰサーバ３毎の送受信パケット数を各ＩＰサーバ３に対応させて記憶している。
【００２６】
次に、携帯電話機側通信部２４は、移動体パケット通信網１００と接続され、移動体パケット通信網１００において使用される通信プロトコルにしたがって通信が可能である。
【００２７】
次に、ＩＰ側通信部２５は、ネットワーク２００と接続され、ネットワーク２００において使用される通信プロトコルにしたがって通信が可能である。
【００２８】
次に、課金サーバ側通信部２６は、課金サーバ４と接続され、課金サーバ４との間で使用される通信プロトコルにしたがって通信が可能である。
【００２９】
次に、ＩＰサーバ３の説明を行う。ＩＰサーバ３は、ＩＰが運用するサーバである。ＩＰサーバ３は、ネットワーク２００と接続される。ＩＰサーバ３は、ネットワーク２００を介してアクセスする携帯電話端末１へ、情報サイトや情報配信等のサービスを提供する。ＩＰサーバ３は、Ｗｅｂサーバ等に代表され、従来の技術を用いて構成されるため、詳細な説明は省略する。ＩＰサーバ３は、携帯電話機１のユーザー側に課金を行うユーザー課金サーバと、ＩＰサーバ３を運用するＩＰ側に課金を行うＩＰ課金サーバとが有る。ユーザー課金サーバは、携帯電話機１のユーザー側に課金を行うユーザー課金サイトを供している。ＩＰ課金サーバは、ＩＰサーバ３を運用するＩＰ側に課金を行うＩＰ課金サイトを提供している。なお、図１において、ＩＰサーバ３は１台のみしか記載していないが、この他にも複数のＩＰサーバ３が存在する場合がある。
【００３０】
次に、課金サーバ４の説明を行う。課金サーバ４は、課金を算出する。課金サーバ４は、ゲートウェイサーバ２から取得するサービス利用情報に基づいて、料金を算出する。サービス利用情報は、携帯電話機１の管理番号、ＩＰサーバ３のＵＲＬ、当該データ通信における送受信パケット数等を含む。課金サーバ４は、料金を算出すると、ユーザーあるいはＩＰへ請求を行う。
また、課金サーバ４は、携帯電話機１がアクセスするＩＰサーバ３が、ユーザー課金サイトを提供するユーザー課金サーバなのか、それともＩＰ課金サイトを提供するＩＰ課金サーバなのかを判定する。課金サーバ４は、アクセス先のＩＰサーバ３が、ユーザー課金サイトを提供しているときは、ユーザーが当該ＩＰサーバ３へのアクセスを許可しているか否かを判定する。課金サーバ４は、ユーザーが当該ＩＰサーバ３へのアクセスを許可している場合は、ゲートウェイサーバ２へアクセスの許可を通知する。また、課金サーバ４は、ユーザーが当該ＩＰサーバ３へのアクセス可否を登録していない場合は、当該ＩＰサーバ３へアクセスしてパケット通信を行う（以下、特に明示が無い場合はアクセスと表記する。）か否かを確認する通知を、携帯電話機１へ送信する。課金サーバ４は、携帯電話機１から当該ＩＰサーバ３へアクセスする旨の通知を受信すると、ゲートウェイサーバ２へアクセスの許可を通知する。
【００３１】
図３は、課金サーバ４の構成を示している。課金サーバ４は、ＣＰＵ４１と、通信部４２と、メインメモリ４３と、記憶装置４４とを備える。また、これらの各構成部位は、内部バス４５によって相互に接続されている。
【００３２】
まず、ＣＰＵ４１は、メインメモリ４３に保存されている処理用プログラムを読み込んで実行することによって、課金サーバ４の機能を実現する。
【００３３】
次に、通信部４２は、ゲートウェイサーバ２と接続され、ゲートウェイサーバ２との間で使用される通信プロトコルにしたがって通信が可能である。
【００３４】
次に、記憶装置４３は、不揮発性メモリやハードディスク等で構成される。記憶装置４３は、課金サーバ４の機能の実現に必要なデータを記憶している。記憶装置２３は、加入者登録情報ファイル４３１と、ＩＰ登録情報ファイル４３２とを備える。
【００３５】
加入者登録情報ファイル４３１は、携帯電話機１のユーザー管理番号ごとに、ユーザのユーザー名、電話番号、氏名、住所等の料金請求に必要な情報が記録されている。また、同様にユーザー管理番号ごとに、ユーザーの加入している料金プランや、ＩＰサーバアクセス設定が記録されている。ＩＰサーバアクセス設定は、アクセス許可ＩＰサーバ情報と、アクセス拒否ＩＰサーバ情報と、ユーザー課金上限パケット数と、ユーザー課金上限金額を含む。アクセス許可ＩＰサーバ情報は、ユーザーがアクセスを許可したＩＰサーバ３のＵＲＬ情報である。アクセス拒否ＩＰサーバ情報は、ユーザーがアクセスを拒否したＩＰサーバ３のＵＲＬ情報である。ユーザー課金上限パケット数は、携帯電話機１がユーザー課金サーバであるＩＰサーバ３へアクセスする際に、携帯電話機１が送受信可能なパケット数である。ユーザー課金上限金額は、携帯電話機１がユーザー課金サーバであるＩＰサーバ３へアクセスする際に、ユーザー側に課金されても良い料金の上限金額である。ユーザー課金上限パケット数とユーザー課金上限金額は、連動している場合があり、その場合にはいずれか一方でも構わない。例えば、ユーザー課金上限パケット数からユーザー課金上限金額を算出してもよい。なお、加入者登録情報ファイル４３１に記録されている情報のうち、ＩＰサーバアクセス設定は、ユーザーによって登録や変更が行われ、その他の情報は、あらかじめ通信事業者等の、情報通信ネットワークの管理者によって登録される。
課金サーバ４は、加入者登録情報ファイル４３１を参照して、ユーザーへ請求を行う。また、課金サーバ４は、加入者登録情報ファイル４３１を参照して、携帯電話機１のアクセスするＩＰサーバ３が、アクセス許可されているのか、あるいはアクセス拒否されているのか、あるいはアクセス可否が登録されていないのかを判定する。
【００３６】
ＩＰ登録情報ファイル４３２は、ＩＰサーバ３ごとに、ＩＰサーバ３のＵＲＬ、ＩＰサーバ３を運用する事業者名や請求先情報、ＩＰサーバ３の課金形態が記録されている。ＩＰサーバ３の課金形態は、当該ＩＰサーバ３が、ユーザー課金サーバであるのか、それともＩＰ課金サーバであるのかを示す情報である。
課金サーバ４は、ＩＰ登録情報ファイル４３２を参照して、携帯電話機１がアクセスするＩＰサーバ３が、ユーザー課金サイトを提供しているのか、それともＩＰ課金サイトを提供しているのかを判定する。なお、ＩＰ登録情報ファイル４３１に記録されている情報は、あらかじめ通信事業者等の情報通信ネットワークの管理者によって登録される。
【００３７】
次に、メインメモリ２２は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等で構成される。メインメモリ２２は、処理用プログラムを保存している。処理用プログラムが、ＣＰＵ２２によって実行されることで、課金サーバ４の各機能が実現される。また、メインメモリ４３は、ＩＰ登録情報変更機能４３１をさらに備える。ＩＰ登録情報変更機能４３１は、処理用プログラムである。ＩＰ登録情報変更機能４３１は、加入者登録情報ファイル４３１に記録されるＩＰサーバアクセス設定データの登録、削除、変更を行う。ＩＰ登録情報変更機能４３１は、携帯電話機１からＩＰサーバアクセス設定変更要求に基づいて、ＩＰサーバアクセス設定データの登録、削除、変更を行う。
【００３８】
なお、課金サーバ４は、記憶装置４３やＩＰ登録情報変更機能４４１が外部に設置された別のサーバの機能として実現されて、それら複数のサーバが連携して実現する場合がある。
【００３９】
次に、移動パケット通信網１００の説明を行う。移動パケット通信網１００は、第三世代携帯電話ネットワークに代表されるような、通信事業者が運用する移動体通信ネットワークである。移動パケット通信網１００は、無線基地局や、基地局制御装置や、メディアゲートウェイ等を備えた従来の技術を用いて構成されるため、詳細な説明は省略する。
【００４０】
次に、ネットワーク２００の説明を行う。ネットワーク２００は、ＩＰ（Ｉｎｔｅｒｎｅｔ  Ｐｒｏｔｏｃｏｌ）ネットワークに代表されるような、通信事業者が運営するネットワークである。伝送装置、ルータ、ネットワークスイッチ等を備えた従来の技術を用いて構成されるため、詳細な説明は省略する。
【００４１】
以上が、本実施形態における情報通信ネットワークの構成の説明である。このように、課金サーバ４は、携帯電話機１がアクセスを要求するＩＰサーバ３が、ユーザー課金サーバであるのかをＩＰ登録情報ファイル４３２に記録されたデータに基づいて判定して、携帯電話機１へその旨を通知する。ユーザーは、携帯電話機１で通知を確認して、当該ＩＰサーバ３へアクセスを行うか否かを決定できる。
さらに、ユーザーがユーザー課金サーバであることを認識した上で当該ＩＰサーバ３へアクセスする場合、ゲートウェイサーバ２は、課金サーバ４のＩＰ登録情報ファイル４３２に記録された当該ユーザーのユーザー課金上限パケット数に基づいて、携帯電話機１とＩＰサーバ３との間の送受信パケット数を監視し、ユーザー課金上限パケット数に達した時に、携帯電話機１へその旨を通知する。ユーザーは、携帯電話機１の通知を確認して、アクセスを継続するか否かを決定する。このように構成することで、ユーザーがユーザー課金サーバへアクセスした場合にも、ユーザーへ予想外に高額な利用料金を請求されることを防ぐことができる。
また、課金サーバ４は、ＩＰ登録情報変更機能４４１によって、加入者登録情報ファイル４３１に記録したＩＰサーバアクセス設定の変更を行う。これによって、ユーザーは、一度登録を行ったＩＰサーバ３に対するＩＰサーバアクセス設定を変更することができる。
【００４２】
［動作方法の説明］
次に図４Ａ、図４Ｂ、図４Ｃを用いて、本実施形態における情報通信ネットワークの動作方法について説明を行う。図４Ａ、図４Ｂ、図４Ｃは、本実施形態における情報通信ネットワークの動作フローである。
【００４３】
（ステップＳ１）
ユーザーは、携帯電話機１を用いて、ＩＰサーバ３へのアクセスあるいは、課金サーバ４へのＩＰサーバアクセス設定の設定変更を行う。携帯電話機１は、移動パケット通信網１００を介してゲートウェイサーバ２へ、ＩＰサーバアクセス要求、あるいはＩＰサーバアクセス設定変更要求を送信する。ゲートウェイサーバ２は、携帯電話機１からＩＰサーバアクセス要求、あるいはＩＰサーバアクセス設定変更要求を受信する。ゲートウェイサーバ２は、記憶装置２３のユーザー管理情報記憶部２３１から、携帯電話機１に対応するユーザー管理番号を取得して、ＩＰサーバアクセス要求、あるいはＩＰサーバアクセス設定変更要求をユーザー管理番号と共に課金サーバ４へ通知する。課金サーバ４は、携帯電話機１からの要求が、ＩＰサーバアクセス要求であるか、あるいはＩＰサーバアクセス設定変更要求であるかを判定する。携帯電話機１からの要求が、ＩＰサーバアクセス要求の場合には、ステップＳ２へ進む。一方、携帯電話機１からの要求がＩＰサーバアクセス設定変更要求である場合には、ステップＳ２０へ進む。
【００４４】
（ステップＳ２）
携帯電話機１からの要求が、ＩＰサーバアクセス要求である場合、課金サーバ４は、アクセス先のＩＰサーバ３がＩＰ課金サーバであるかユーザー課金サーバであるかを判定する。課金サーバ４は、ＩＰサーバアクセス要求に含まれるアクセス先のＩＰサーバ３のＵＲＬに基づいて、ＩＰ登録情報ファイル４３２を検索して、ＩＰサーバ３を特定する。課金サーバ４は、特定したＩＰサーバ３のデータに基づいて、ＩＰサーバ３がＩＰ課金サーバであるかユーザー課金サーバであるかを判定する。アクセス先のＩＰサーバ３がＩＰ課金サーバである場合、ステップＳ３へ進む。一方、アクセス先のＩＰサーバ３がＩＰ課金サーバで無い場合（ユーザー課金サーバである場合）、ステップＳ４へ進む。
【００４５】
（ステップＳ３）
アクセス先のＩＰサーバ３がＩＰ課金サーバである場合、課金サーバ４は、ゲートウェイサーバ２へ、アクセス許可を通知する。ゲートウェイサーバ２は、課金サーバ４からアクセス許可の通知を受けて、ＩＰサーバ３へのアクセス処理を継続する。その後、携帯電話機１とＩＰサーバ３との間のデータ通信動作については、従来の技術によるため説明を省略する。ゲートウェイサーバ２は、携帯電話端末１とＩＰサーバ３との間のデータ通信が切断されると、携帯電話側パケット数保持部２３２、およびＩＰサーバ側パケット数保持部２３４から当該アクセスに使用した送受信パケット数を取得して、課金サーバ４へ送信する。課金サーバ４は、ゲートウェイサーバ２から当該アクセスに使用した送受信パケット数を受信して、料金を算出し、ＩＰ登録情報ファイル４３２に記録されているＩＰの請求先へ費用請求を行う。
【００４６】
（ステップＳ４）
アクセス先のＩＰサーバ３がユーザー課金サーバである場合、課金サーバ４は、加入者の料金プランを確認する。課金サーバ４は、ゲートウェイサーバ２から取得したユーザー管理番号に基づいて、加入者登録情報ファイル４３１を検索し、当該ユーザー管理番号に一致するデータを特定する。課金サーバ４は、特定したデータに基づいて、当該ユーザーの料金プランが定額プランであるか否かを判定する。当該ユーザーの料金プランが定額プランでない場合、ステップＳ５へ進む。一方、当該ユーザーの料金プランが定額プランである場合、課金サーバ４は、ゲートウェイシステム２へアクセス許可を通知する。ゲートウェイサーバ２は、通知を受けて、ＩＰサーバ３へのアクセス要求の転送を継続する。その後、携帯電話機１からＩＰサーバ３へのアクセス動作については、従来の技術によるため説明を省略する。この場合は、ユーザーに対する料金算出動作は発生しないため、本動作方法は終了となる。
【００４７】
（ステップＳ５）
当該ユーザーの料金プランが定額プランでない場合、課金サーバ４は、当該携帯電話機１によるＩＰサーバ３へアクセス可否を判定する。課金サーバ４は、ＩＰ登録情報ファイル４３２に記録されているＩＰサーバアクセス設定を参照して、ゲートウェイサーバ２から取得したユーザー管理番号に基づいて当該携帯電話機１のデータを特定する。課金サーバ４は、特定した携帯電話機１のデータのＩＰサーバアクセス設定において、当該ＩＰサーバ３のＵＲＬが、ＩＰアクセス許可としてアクセス許可ＩＰサーバ情報へ登録されているか、アクセス拒否としてアクセス拒否ＩＰサーバ情報へ登録されているか、あるいは登録されていないかを判定する。ＩＰサーバ３のＵＲＬが、アクセス拒否ＩＰサーバ情報へ登録されている場合には、ステップＳ６へ進む。一方、ＩＰサーバ３のＵＲＬが、アクセス許可ＩＰサーバ情報へ登録されている場合には、ステップＳ１４へ進む。また、ＩＰサーバ３のＵＲＬがＩＰサーバアクセス設定に登録されていない場合には、ステップＳ７へ進む。
【００４８】
（ステップＳ６）
ＩＰサーバ３のＵＲＬが、ＩＰサーバアクセス設定のアクセス拒否ＩＰサーバ情報へ登録されている場合、課金サーバ４は、ゲートウェイサーバ２へ、当該ＩＰサーバ３へのアクセス拒否を通知する。ゲートウェイサーバ２は、携帯電話機１へ、当該ＵＲＬのＩＰサーバ３へのアクセス拒否の登録があることを通知して、接続を切断する。この場合、本動作方法は、終了となる。
【００４９】
（ステップＳ７）
ＩＰサーバ３のＵＲＬがＩＰサーバアクセス設定に記録されていない場合、課金サーバ４は、ゲートウェイシステム２を介して、携帯電話端末１へ、当該ＩＰサーバ３がユーザー課金サーバであることを通知する。
【００５０】
（ステップＳ８）
ユーザーは、携帯電話機１からアクセスしようとするＩＰサーバ３がユーザー課金サーバであることを通知される。ユーザーは、通知を受けてＩＰサーバ３へアクセスするか否かを決定し、携帯電話機１へ入力する。ユーザーが、ＩＰサーバ３へアクセスを行わない場合には、ステップＳ９へ進む。一方、ユーザーが、ＩＰサーバ３へアクセスを行う場合には、ステップＳ１２へ進む。
【００５１】
（ステップＳ９）
ユーザーが、ＩＰサーバ３へアクセスを行わない場合、課金サーバ４は、ゲートウェイサーバ２を介して、携帯電話機１からのアクセス拒否通知を受信する。課金サーバ４は、ゲートウェイサーバ２を介して、当該ＩＰサーバ３をＩＰサーバアクセス設定のアクセス拒否ＩＰサーバ情報へ登録を行うか否かの確認通知を送信する。ユーザーは、当該ＩＰサーバ３をＩＰサーバアクセス設定のアクセス拒否ＩＰサーバ情報へ登録を行うか否かを、携帯電話機１へ入力する。ＩＰサーバアクセス設定のアクセス拒否ＩＰサーバ情報へ登録を行う場合には、ステップＳ１０へ進む。ＩＰサーバアクセス設定のアクセス拒否ＩＰサーバ情報へ登録を行わない場合には、ステップＳ１１へ進む。
【００５２】
（ステップＳ１０）
ＩＰサーバアクセス設定のアクセス拒否ＩＰサーバ情報へ登録を行う場合、携帯電話機１は、ゲートウェイ２を介して、課金サーバ４へアクセス拒否登録要求を送信する。課金サーバ４のＩＰ登録情報変更機能４４１は、アクセス拒否登録要求に含まれるユーザー管理番号に基づいて、加入者登録情報ファイル４３１から当該ユーザー管理番号に対応するデータを特定する。ＩＰ登録情報変更機能４４１は、特定したデータのＩＰサーバアクセス設定のアクセス拒否ＩＰサーバ情報へ、アクセス拒否登録要求に含まれるＵＲＬを登録する。これによって、携帯電話機１が同じユーザー管理番号を含めた当該ＵＲＬへのＩＰサーバアクセス要求を行う場合、課金サーバ４は、アクセス拒否と判定し接続を切断する。そのため、ユーザーは、操作を省略することが可能となる。
【００５３】
（ステップＳ１１）
課金サーバ４は、接続を切断する。課金サーバ４は、ＩＰ登録情報変更機能４４１のＩＰサーバアクセス設定への登録処理を行った場合、登録が完了したことを携帯電話機１へ通知して、接続を切断する。これによって本動作方法は終了となる。
【００５４】
（ステップＳ１２）
ユーザーが、ＩＰサーバ３へアクセスする場合、課金サーバ４は、ゲートウェイサーバ２を介して、携帯電話機１からのアクセス許可通知を受信する。課金サーバ４は、ゲートウェイサーバ２を介して、当該ＩＰサーバ３をＩＰサーバアクセス設定のアクセス許可ＩＰサーバ情報へ登録を行うか否かの確認通知を送信する。ユーザーは、当該ＩＰサーバ３をＩＰサーバアクセス設定のアクセス許可ＩＰサーバ情報へ登録を行うか否かを、携帯電話機１へ入力する。ＩＰサーバアクセス設定のアクセス許可ＩＰサーバ情報へ登録を行う場合には、ステップＳ１３へ進む。ＩＰサーバアクセス設定のアクセス許可ＩＰサーバ情報へ登録を行わない場合には、ステップＳ１４へ進む。
【００５５】
（ステップＳ１３）
ＩＰサーバアクセス設定のアクセス許可ＩＰサーバ情報へ登録を行う場合、携帯電話機１は、ゲートウェイ２を介して、課金サーバ４のＩＰ登録情報変更機能４４１へアクセス許可登録要求を送信する。ＩＰ登録情報変更機能４４１は、アクセス許可登録要求に含まれる、ユーザー管理番号に基づいて、加入者登録情報ファイル４３１から当該ユーザー管理番号に対応するデータを特定する。ＩＰ登録情報変更機能４４１は、特定したデータのＩＰサーバアクセス設定のアクセス許可ＩＰサーバ情報へ、アクセス許可登録要求に含まれるＵＲＬを登録する。これによって、携帯電話機１が同じユーザー管理番号を含めた当該ＵＲＬへのＩＰサーバアクセス要求を行う場合、課金サーバ４は、アクセス許可と判定し接続を行う。そのため、ユーザーは、操作を省略することが可能となる。
【００５６】
（ステップＳ１４）
課金サーバ４は、当該ＩＰサーバ３へのアクセスがアクセス許可と判定すると、ゲートウェイサーバ２へアクセス許可を通知する。ゲートウェイサーバ２は、アクセス許可の通知を受けて、ＩＰサーバ３へのアクセス処理を継続する。その後、携帯電話機１からＩＰサーバ３へのアクセス動作については、従来の技術によるため説明を省略する。また、課金サーバ４は、加入者登録情報ファイル４３１から、ユーザー管理番号に対応するＩＰサーバアクセス設定を特定し、当該ＩＰサーバアクセス設定に記録されたユーザー課金上限パケット数を取得して、ゲートウェイサーバ２へ送信する。ゲートウェイサーバ２は、ユーザー課金上限パケット数を取得して、携帯端末機１とＩＰサーバ３との間のパケット数を監視する。ゲートウェイサーバ２は、携帯電話側パケット数保持部２３２とＩＰサーバ側パケット数保持部２３４から、当該アクセスにおいて携帯端末機１とＩＰサーバ３との間で送受信された送受信パケット数を取得する。ゲートウェイサーバ２は、当該アクセスにおける送受信パケット数と、ユーザー課金上限パケット数を比較する。当該アクセスにおける送受信パケット数が、ユーザー課金上限パケット数に到達しない間は、ゲートウェイサーバ２は、送受信パケット数の監視を継続する。一方、当該アクセスにおける送受信パケット数が、ユーザー課金上限パケット数に到達した場合は、ステップＳ１６へ進む。また、当該アクセスにおける送受信パケット数がユーザー課金上限パケット数に到達する前に、携帯電話機１において当該アクセスが切断された場合には、ステップＳ１５へ進む。
【００５７】
（ステップＳ１５）
携帯電話機１において当該アクセスが切断された場合、ゲートウェイサーバ２は、携帯電話機１とＩＰサーバ３との間の接続を切断する。ゲートウェイサーバ２は、携帯電話端末１とＩＰサーバ３との間のデータ通信を切断すると、携帯電話側パケット数保持部２３２、およびＩＰサーバ側パケット数保持部２３４から当該アクセスに使用した送受信パケット数を取得して、課金サーバ４へ送信する。課金サーバ４は、ゲートウェイサーバ２から当該アクセスに使用した送受信パケット数を受信して、料金を算出し、加入者登録情報ファイルに記録されている携帯電話機１のユーザーの請求先へ費用請求を行う。
【００５８】
（ステップＳ１６）
当該アクセスにおける送受信パケット数が、ユーザー課金上限パケット数に到達した場合、ゲートウェイサーバ２は、ユーザー管理番号と共に上限パケット数に到達した旨の到達通知を課金サーバ４へ送信する。課金サーバ４は、加入者登録情報ファイル４３１からユーザー管理番号に基づいて、ユーザー課金上限料金を取得する。課金サーバ４は、ゲートウェイサーバ２を介して、ユーザー課金上限料金へ到達したことを、携帯電話機１へ通知する。なお、課金サーバ４は、加入者登録情報ファイル４３１に記録されているユーザー課金上限パケット数に基づいてユーザー課金上限料金を算出しても良い。
【００５９】
（ステップＳ１７）
携帯電話機１は、ユーザー課金上限料金への到達をユーザーへ通知する、ユーザーは、ユーザー課金上限料金への到達を受けて、当該アクセスを継続するか否かを決定する。ユーザーがＩＰサーバ３へのアクセスを継続する場合は、ステップＳ１８へ進む。一方、ユーザーがＩＰサーバ３へのアクセスを切断する場合は、ステップＳ１５へ戻る。
【００６０】
（ステップＳ１８）
ユーザーがＩＰサーバ３へのアクセスを継続する場合、携帯電話機１はゲートウェイサーバ２を介してＩＰサーバ３へのアクセスを継続する。その後、ユーザーは、携帯電話機１とＩＰサーバ３へのアクセスを切断する。携帯電話機１において当該アクセスが切断されると、ゲートウェイサーバ２は、携帯電話機１とＩＰサーバ３との間の接続を切断する。
【００６１】
（ステップＳ１９）
ゲートウェイサーバ２は、携帯電話端末１とＩＰサーバ３との間の接続を切断すると、携帯電話側パケット数保持部２３２、およびＩＰサーバ側パケット数保持部２３４から当該アクセスに使用したパケット数を取得して、課金サーバ４へ送信する。課金サーバ４は、ゲートウェイサーバ２から当該アクセスに使用した送受信パケット数を受信して、料金を算出し、加入者登録情報ファイル４３１に記録されているユーザー請求先へ費用請求を行う。
【００６２】
（ステップＳ２０）
携帯電話機１からの要求がＩＰサーバアクセス設定変更要求である場合、課金サーバ４のＩＰ登録情報変更機能４４１は、加入者登録情報ファイル４３１の設定変更を行う。ＩＰ登録情報変更機能４４１は、ゲートウェイサーバ２からユーザー管理番号を取得し、加入者登録情報ファイル４３１からユーザー管理番号に対応するデータを特定する。ＩＰ登録情報変更機能４４１は、特定したデータのＩＰサーバアクセス設定を、ＩＰサーバアクセス設定変更要求に含まれる内容に変更を行う。ＩＰサーバアクセス設定変更要求によって変更が行われる内容は、ＩＰサーバアクセス設定に含まれる、アクセス許可ＩＰサーバ情報と、アクセス拒否ＩＰサーバ情報と、ユーザー課金上限金額である。これによって、ユーザーは、ＩＰサーバ３への最初のアクセス時に設定した、アクセス可否設定を変更することが可能となる。
【００６３】
以上が、本実施形態における情報通信ネットワークの動作方法について説明である。このように、課金サーバ４は、携帯電話機１がアクセスを要求するＩＰサーバ３が、ＩＰ課金サーバであるのか、ユーザー課金サーバであるのかをＩＰ登録情報ファイル４３２に記録されたデータに基づいて判定する。課金サーバ４は、ＩＰサーバ３がユーザー課金サーバである場合、携帯電話機１へその旨を通知する。ユーザーは、携帯電話機１で通知を確認して、当該ＩＰサーバ３へアクセスを行うか否かを決定できる。
さらに、ユーザーがユーザー課金サーバであることを認識した上で当該ＩＰサーバ３へアクセスする場合、ゲートウェイサーバ２は、課金サーバ４からＩＰ登録情報ファイル４３２に記録された当該ユーザーのユーザー課金上限パケット数を取得する、ゲートウェイサーバ２は、携帯電話機１とＩＰサーバ３との間の送受信パケット数を監視し、ユーザー課金上限パケット数に達した時に、携帯電話機１へその旨を通知する。ユーザーは、携帯電話機１の通知を確認して、アクセスを継続するか否かを決定する。このように構成することで、ユーザーがユーザー課金サーバへアクセスした場合にも、ユーザーへ予想外に高額な利用料金を請求されることを防ぐことができる。
また、課金サーバ４は、携帯電話機１からの要求が、ＩＰサーバアクセス要求であるか、あるいはＩＰサーバアクセス設定変更要求であるかを判定する。課金サーバ４は、ＩＰサーバアクセス設定変更要求である場合、ＩＰ登録情報変更機能４４１によって、加入者登録情報ファイル４３１に記録したＩＰサーバアクセス設定の変更を行う。これによって、ユーザーは、一度登録を行ったＩＰサーバ３に対するＩＰサーバアクセス設定を変更することができる。
【００６４】
ここまで、実施形態を参照して本発明を説明したが、本発明は、上記の実施形態に限定されるものではない。例えば、図５は、本発明の情報通信ネットワークにおける他の構成を示している。図５の情報通信ネットワークは、課金サーバ４Ａと課金サーバ４Ｂを備えている。課金サーバ４Ａは、加入者登録情報ファイル４３１と、ＩＰ登録情報ファイル４３２を備え、課金処理を行う。一方、課金サーバ４Ｂは、ＩＰ登録情報変更機能４４１を備え、携帯電話機１からのＩＰサーバアクセス設定変更要求を受付て、課金サーバ４Ａの加入者登録情報ファイル４３１の変更等を行う。このように、課金処理を行うサーバと、設定変更を受け付けるサーバを分離することで、課金サーバ自体へのユーザーのアクセスを回避できる。そのため、セキュリティ強化を図れ、課金事故などの重大な障害を防ぐことができる。このように、本発明の構成や詳細には、本発明の範囲内で当業者が理解し得る様々な変更を行うことが可能である。
【図面の簡単な説明】
【００６５】
【図１】本実施形態における情報通信ネットワークの構成を示す図である。
【図２】ゲートウェイサーバ２の構成を示す図である。
【図３】課金サーバ４の構成を示す図である。
【図４Ａ】本実施形態における情報通信ネットワークの動作フローである。
【図４Ｂ】本実施形態における情報通信ネットワークの動作フローである。
【図４Ｃ】本実施形態における情報通信ネットワークの動作フローである。
【図５】本発明の情報通信ネットワークにおける他の構成を示す図である。
【符号の説明】
【００６６】
１  携帯電話機
２  ゲートウェイサーバ
３  ＩＰサーバ
４  課金サーバ
４Ａ  課金サーバ
４Ｂ  課金サーバ
２１  ＣＰＵ
２２  メインメモリ
２３  記憶装置
２４  携帯電話機側通信部
２５  ＩＰ側通信部
２６  課金サーバ側通信部
２７  内部バス
４１  ＣＰＵ
４２  通信部
４３  記憶装置
４４  メインメモリ
４５  内部バス
２２１  制御プログラム
２３１  ユーザー管理情報記憶部
２３２  携帯電話機側パケット数保持部
２３３  ＩＰサーバＵＲＬ記憶部
２３４  ＩＰサーバ側パケット数保持部
４３１  加入者登録情報ファイル
４３２  ＩＰ登録情報ファイル
４４１  ＩＰ登録情報変更機能
【図１】
2009296494.tif 000003
【図２】
2009296494.tif 000004
【図３】
2009296494.tif 000005
【図４Ａ】
2009296494.tif 000006
【図４Ｂ】
2009296494.tif 000007
【図４Ｃ】
2009296494.tif 000008
【図５】
2009296494.tif 000009